(57)【要約】  【課題】  吸引ファン等を使用しない簡単な構成で、記録装置内に浮遊するインクミストを回収することができ、インクミストによる不具合を防止できるインクジェット記録装置を提供する。  【解決手段】  記録ヘッド１１から記録媒体Ｐへインクを吐出して記録を行うインクジェット記録装置である。記録媒体に対して記録ヘッド側に配された搬送用回転体５３の側面に設けられたフィン部５４と、搬送用回転体を覆うミスト回収ダクト５５と、を備える。浮遊するインクミストを、フィン部の回転によりミスト回収ダクトを通して生じる気流によって所定位置に導く。【選択図】  図４
2010240877.tif 000002
【特許請求の範囲】
【請求項１】
記録ヘッドから記録媒体へインクを吐出して記録を行う記録装置において、
記録媒体に対して記録ヘッド側に配された搬送用回転体に設けられたフィン部と、前記搬送用回転体を覆うミスト回収ダクトと、を備え、
浮遊するインクミストを、前記フィン部の回転により前記ミスト回収ダクトを通して生じる気流によって所定位置に導くことを特徴とする記録装置。
【請求項２】
前記搬送用回転体は、排紙ローラに押圧される拍車であることを特徴とする請求項１に記載の記録装置。
【請求項３】
前記ミスト回収ダクトを通して生じる気流によって前記インクミストを前記プラテンに支持された記録媒体の上方に導くことを特徴とする請求項１または２に記載の記録装置。
【請求項４】
前記ミスト回収ダクトにより導いた前記インクミストを、前記プラテンに組み込まれたインク吸収体で回収することを特徴とする請求項１ないし３のいずれか１項に記載の記録装置。
【請求項５】
前記ミスト回収ダクトにより導いたインクミストを、前記プラテンに支持された記録媒体より記録ヘッド側に配されたインク吸収体で回収することを特徴とする請求項１または２に記載の記録装置。
【請求項６】
記録媒体を装置本体から排出した後に前記搬送用回転体を所定時間回転させて前記インクミストを回収するインクミスト回収モードを有することを特徴とする請求項１ないし５のいずれか１項に記載の記録装置。
【請求項７】
前記インクミスト回収モードにおける前記搬送用回転体の回転速度は、記録のために記録媒体を搬送するときの回転速度より大きいことを特徴とする請求項６に記載の記録装置。
【請求項８】
前記インクミスト回収モードは、前記インクミストの発生量に応じてＯＮ／ＯＦＦ制御されることを特徴とする請求項６または７に記載の記録装置。
【請求項９】
前記インクミスト回収モードの動作時間は、前記インクミストの発生量に応じて制御されることを特徴とする請求項６または７に記載の記録装置。
【請求項１０】
前記インクミストの発生量は、所定期間における記録枚数もしくは総ドット数に基づいて算定されることを特徴とする請求項８または９に記載の記録装置。
【発明の詳細な説明】
【技術分野】
【０００１】
本発明は、記録ヘッドから記録媒体へインクを吐出して記録を行う記録装置に関する。
【背景技術】
【０００２】
記録ヘッドから記録媒体へインクを吐出して記録を行うインクジェット記録装置では、記録等の目的でインクを吐出する際に、主に画像記録にかかわる主滴に伴って微小な霧状の液滴（インクミストと称する）を発生することがある。インクミストは、主滴に比べ微小な液滴であるために移動速度が遅く、その大部分は記録媒体に着弾することなく空気中を浮遊する。また、主滴が記録媒体に着弾した際に記録媒体から跳ね返った液滴がインクミストとして浮遊することもある。
【０００３】
これらのインクミストは、以下のような不具合の原因となることがある。記録媒体にインクミストが付着することで画像品位が劣化する。また、キャリッジの駆動精度を高めるために設けられたエンコーダにインクミストが付着すると、エンコーダの読み取り精度が低下する。また、キャリッジユニットとの摺動部分（例えばガイドシャフト）にインクミストが付着すると、その後の溶剤蒸発による増粘や固化によって摺動抵抗が増加し、キャリッジユニットの動作不良の原因となる。また、金属部品や電気部品にインクミストが付着すると部品の腐食や劣化を引き起こすことがある。また、インクミストが記録装置周辺に飛散すると、環境の劣化を招くとともに、インクミストが記録済みの記録媒体に付着して画像品位を低下させたり、オペレータの手や衣服を汚すなどの不都合が生じることがある。
【０００４】
以上の理由から、インクジェット記録装置ではインクミスト処理が望まれる。例えば特許文献１に見られるように、ファンを用いて空気とともにインクミストを装置本体外部へ排出する構成が提案されている。
【先行技術文献】
【特許文献】
【０００５】
【特許文献１】特開２００４−１８１７０４号公報
【発明の概要】
【発明が解決しようとする課題】
【０００６】
インクジェット記録装置では低価格機においても高解像度化が進んでおり、それに伴ってインク吐出量が多くなり、発生するインクミストの量も増加している。また、エンコーダの分解能も向上してインクミスト付着の影響を受けやすくなっている。これらの観点から、インクミストによる汚れを低減させる必要性がますます高まっているが、一方でファンを用いるインクミスト排出手段では、専用のファンを使用するためにコストや騒音が増大するという難点がある。
【０００７】
本発明はこのような技術的課題に鑑みてなされたものであり、従来の装置の改良を目的とする。本発明のより具体的な目的は、記録装置内に浮遊するインクミストを簡単な構成で回収することができ、インクミストによる不具合を防止できる記録装置を提供することである。
【課題を解決するための手段】
【０００８】
本発明は、記録ヘッドから記録媒体へインクを吐出して記録を行う記録装置において、記録媒体に対して記録ヘッド側に配された搬送用回転体に設けられたフィン部と、前記搬送用回転体を覆うミスト回収ダクトと、を備え、浮遊するインクミストを、前記フィン部の回転により前記ミスト回収ダクトを通して生じる気流によって所定位置に導くことを特徴とする。
【発明の効果】
【０００９】
本発明によれば、記録装置内に浮遊するインクミストを簡単な構成で回収することができ、インクミストによる不具合を防止できる記録装置が提供される。
【図面の簡単な説明】
【００１０】
【図１】記録装置の斜視図
【図２】記録装置の縦断面図
【図３】第１の実施形態に係るインクミスト回収手段の記録中の縦断面図
【図４】第１の実施形態に係るインクミスト回収手段の記録媒体排出後の縦断面図
【図５】第１の実施形態に係るインクミスト回収手段の部分平面図
【図６】第２の実施形態に係るインクミスト回収手段の縦断面図
【図７】記録装置の動作のフローチャート
【発明を実施するための形態】
【００１１】
以下、図面を参照して本発明の実施形態を具体的に説明する。なお、各図面を通して同一符号は同一または対応部分を示すものである。
［第１の実施形態］
図１はインクジェット記録装置の斜視図である。図２はインクジェット記録装置の縦断面図である。図１では右側が装置前部であり、左側が装置後部であり、図２では左側が装置前部であり、右側が装置後部である。記録ヘッド１１を搭載したキャリッジ１２は、シャーシ１３に配されたガイドシャフト１４およびガイドレール１５に沿って移動可能に支持され、キャリッジモータ（不図示）によりベルト１６を介して往復駆動される。
【００１２】
記録ヘッド１１と対向する位置には、記録紙等のシート状の記録媒体（以下、シートという）Ｐを支持するためのプラテン１７が配されている。キャリッジ１２には、記録ヘッド１１にインクを供給するためのインクタンク２２が搭載されている。この記録装置は記録ヘッド１１からシートＰへインクを吐出して記録を行うインクジェット記録装置である。記録ヘッド１１は、画像情報に基づいて、シートＰと対向する吐出口面に形成された複数の吐出口からインクを選択的に吐出する。これら記録ヘッド１１およびキャリッジ１２等によりインクジェット方式の画像形成部８０が構成されている。このようなインクジェット方式は、発熱体を用いる方式、ピエゾ素子を用いる方式、静電素子を用いる方式、ＭＥＭＳ素子を用いる方式など、さまざまな方式を用いることができる。
【００１３】
プラテン１７の搬送上流側には、駆動回転体である搬送ローラ１８と従動回転体であるピンチローラ１９からなる搬送ローラ対が配されている。ピンチローラ１９は揺動可能なピンチローラホルダ３５の先端部に回転自在に軸支され、不図示のピンチローラばねにより搬送ローラ１８へ付勢される。プラテン１７の搬送下流側の排紙部５０には、駆動回転体である排紙ローラ２１と従動回転体である拍車５３からなる排紙ローラ対が配されている。搬送ローラ１８と排紙ローラ２１は同期して回転駆動される。
【００１４】
圧板２５および給紙トレイ２６に積載されたシートＰは、給紙ローラ２７および分離ローラ２８の摩擦力の差によって１枚ずつ分離され、給紙部２３から画像形成部８０へ向けて給送される。給送されたシートＰの先端を停止している搬送ローラ対１８、１９のニップに当接させることにより、先端揃え（レジ取り）が行われる。次いで、搬送ローラ１８を回転させることによりシートＰをプラテン１７上の記録開始位置へ搬送する。そして、キャリッジ１２の移動（主走査）に同期して記録ヘッド１１からインクを吐出する１ライン分の記録と、搬送ローラ１８による所定ピッチの紙送りとを交互に繰り返すことにより、１枚分の画像記録が行われる。記録されたシートＰは、排紙ローラ２１の回転により装置本体外の排紙トレイ５１上へ排出される。
【００１５】
キャリッジ１２の移動範囲であって記録領域（もしくは通紙領域）を外れた所定位置（通常、記録ヘッド１１のホームポジション）には、回復ユニット４０が配されている。回復ユニット４０は、記録ヘッド１１のインク吐出性能を維持回復するための装置である。回復ユニット４０には、例えば、キャッピング手段、ワイピング手段、吸引手段などが設けられている。キャッピング手段４１は、記録ヘッド１１の吐出口を覆うためのキャップを備えている。ワイピング手段４３は、記録ヘッド１１のインク吐出面を払拭するためのワイパーを備えている。吸引手段４２は、記録ヘッド１１の吐出口からインクを強制的に吸引したり、キャップに溜まった不要インクを回収するためにキャップに接続された吸引ポンプを備えている。また、記録ヘッド１１からキャップに向けて記録を目的としないインク吐出（空吐出）による回復操作も行われる。また、回復ユニット４０には、キャッピング手段４１、吸引手段４２およびワイピング手段４３などの動作機構を駆動するための回復モータ４７が設けられている。
【００１６】
記録装置には、ＣＰＵ、メモリおよびＩ／Ｏ回路等を備えたコントローラからなる制御手段７０が設けられている。この制御手段７０は、内部メモリに予め格納された制御プログラムに従い、駆動モータや各種装置の動作を制御する。これにより、記録媒体（シートＰ）の給送および搬送の動作を制御するとともに、画像情報に基づいて記録ヘッド１１を制御することにより、記録媒体に画像を記録していく。また、制御手段７０は、回復ユニット４０の動作を制御したり、後述するインクミスト回収手段８５の動作を制御する他、装置全体の動作やそのタイミングを制御するものである。
【００１７】
以上のインクジェット記録装置では、記録等の目的でインクを吐出する際に、吐出される主たる液滴（主滴）に伴って微小な液滴からなる霧状のインクミストが発生することがある。このインクミストは移動速度が遅く、その大部分は記録媒体に着弾することなく記録装置内の空気中を浮遊する。また、主たる液滴が記録媒体に着弾した際に記録媒体から跳ね返った微小液滴がインクミストとなって浮遊することもある。そこで、本実施形態では、このようなインクミストを所定位置に導いて回収するためのインクミスト回収手段８５が設けられている。
【００１８】
図３はインクミスト回収手段８５の記録中の状態を示す縦断面図である。図４はインクミスト回収手段８５のシート排出後の状態を示す縦断面図である。図５はインクミスト回収手段８５の部分平面図である。本実施形態では、排紙部５０の近傍に、搬送用回転体である拍車５３を利用してインクミスト回収手段８５が構成されている。排紙ローラ２１の長さ方向に沿った所定間隔ごとの複数位置に、排紙ローラ２１に押圧されて搬送力を付与するための拍車５３が配置されている。排紙部５０には、板金等で形成された拍車ステイ５７が固定されている。拍車ステイ５７には拍車ホルダ５６が取り付けられている。各拍車５３は、拍車ホルダ５６の先端部に、支軸である拍車ばね５８を介して回転自在に軸支されている。各拍車５３は、それぞれの拍車ばね５８の付勢により排紙ローラ２１に押圧される。
【００１９】
拍車５３は、搬送ローラ１８、ピンチローラ１９および排紙ローラ２１などともに搬送用回転体の一つを構成している。本実施形態では、拍車５３は、プラテン１７上に支持されるシートＰの記録面に対して記録ヘッド１１側（図示の上側）に配置されている。各拍車５３の側面にはフィン部５４が設けられている。図示のフィン部５４は、拍車５３の側面の円周上に所定ピッチで配された複数の羽根で構成されている。フィン部５４は拍車５３の片方の側面のみに設けてもよく、あるいは両側の側面に設けも良い。
【００２０】
排紙部５０には、各拍車５３を覆うようにして、インクミストを回収するためのミスト回収ダクト５５が配されている。図示の例では、複数の拍車５３のそれぞれに対応して複数のミスト回収ダクト５５が配されている。各ミスト回収ダクト５５の拍車５３側の端部には、対応する拍車５３の上半部を囲むようにして吸気口５５ａが形成されている。各ミスト回収ダクト５５の他端部（搬送上流側の端部）には排気口５５ｂが形成されている。排気口５５ｂは、拍車ステイ５７に形成された開口部５７ａおよび拍車ホルダ５６に形成された開口部５６ａから、下方へ向けて開口している。
【００２１】
搬送ローラ対１８、１９および排紙ローラ対２１、５３の正回転によってシートＰが矢印６１の方向に搬送されるとき、記録ヘッド１１側に配された搬送用回転体である拍車５３は図３中の時計方向に回転する。このとき、フィン部５４も同時に時計方向に回転し、フィン部５４の回転により、矢印６２で示すように、ミスト回収ダクト５５を通して吸気口５５ａから排気口５５ｂへ向かう気流が生じる。記録装置内に浮遊するインクミストは、この気流によって吸気口５５ａからダクト５５内に吸引されるとともに、ミスト回収ダクト５５を通して所定位置へ導かれて排気口５５ｂから排出され、回収部に集積されて回収される。
【００２２】
図３に示すように、搬送されるシートＰに対し記録ヘッド１１からインクを吐出して記録しているときは、吸気口５５ａから吸引されるインクミストは空気と共に排気口５５ｂからシートＰの記録面の上方に排出される。つまり、浮遊するインクミストは、ミスト回収ダクト５５を通して生じる気流によって、プラテン１７に支持されたシートＰの上方に導かれる。この場合、排気口５５ｂから排出される単位時間当たりのインクミスト量は矢印６２で示すミスト回収ダクト５５内の気流の風量に比例する。ただし、シートＰに記録しているときは、拍車５３の回転速度は高くはないため、気流によって排気口５５ｂからシートＰへ向けて排出されるインクミスト量は少量であり、記録画像に影響を及ぼすことはない。
【００２３】
次に、図４を用いて、インクミスト回収手段８５のさらなる構成および動作を説明する。図４は、例えば、シートＰを排出した後のインクミスト回収手段８５の状態を示す。キャリッジ１２を記録領域からホームポジションへ移動させた後、排紙ローラ対２１、５３によってシートＰを排出する。シートＰを排出した後では、プラテン１７および排紙部５０の範囲にはシートＰは存在しない。このとき、排紙ローラ対２１、５３を正回転させると、拍車５３およびフィン部５４が図示の時計方向に回転することでミスト回収ダクト５５内には矢印６２で示すような吸気口５５ａから排気口５５ｂへ向かう気流が発生する。
【００２４】
そこで、本実施形態では、プラテン１７の上面（搬送面）には、シートＰの幅方向所定間隔の位置に、搬送方向と平行に複数のリブ３３が設けられている。各リブ３３の間には平坦面からなる凹部３３ｂが形成されている。各リブ３３の上面３３ａは、シートＰの裏面と接する支持面を形成している。そこで、図５に示すように、各ミスト回収ダクト５５の排気口５５ｂは各リブ３３の直上には配置されておらず、各排気口５５ｂの直下にはプラテン１７の凹部３３ｂが配されている。従って、各リブ３３の上面３３ａは排気口５５ｂから排出されるインクミストによってインク汚染されることはない。このため、リブ３３上を搬送されるシートＰがインク汚染されることはない。
【００２５】
図４の記録をしていない状態では、記録装置内を浮遊しているインクミストはキャリッジ１２の移動による影響を受けない。また、プラテン１７および排紙部５０の範囲にはシートＰが存在しない。従って、図３に示すような記録中に比べ、ミスト回収ダクト５５の吸気口５５ａから多量のインクミストを吸引するとともに、排気口５５ｂからも多量のインクミストを排出しても、記録画像に直接的に影響することはない。
【００２６】
そこで、プラテン１７には、排出されたインクミストを吸収して積載するためのインク吸収体３４が組み込まれている。インク吸収体３４は、例えば、紙、不織布等の繊維材料、多孔質体など、インク吸収性に優れた材質で形成されている。このインク吸収体３４は、その上面が凹部３３ｂの面と略同じレベルになるようにして、プラテン１７のリブ３３を切欠いた領域に組み込まれている。
【００２７】
図４の状態では、ミスト回収ダクト５５の排気口５５ｂから排出されるインクミストはプラテン１７の凹部３３ｂに次々と吹き付けられ、そして凹部３３ｂの底面でインク液となる。そこで、各凹部３３ｂの底面には傾斜が付けられている。つまり、各凹部３３ｂの底面は、プラテン１７に組み込まれたインク吸収体３４の上面またはその近傍に向かって緩やかな下り勾配となるように形成されている。従って、凹部３３ｂに吹き付けられてインクミストから液体状となったインク液は、矢印６３で示すように凹部３３ｂに沿って流れることでインク吸収体３４へ導かれ、インク吸収体３４に集積されて回収される。
【００２８】
従って、記録を行っていないときは、排紙ローラ対２１、５３を記録中よりも高速で回転させることで、フィン部５４を高速回転させることにより、より多量のインクミストを回収することができ、より効率の良いインクミスト回収操作を行うことができる。例えば、シートＰを装置本体から排出した後に拍車５３を所定時間回転させてインクミストを回収するインクミスト回収モードを設ける。そして、このインクミスト回収モードにおける拍車５３の回転速度を、記録のためにシートＰを搬送するときの回転速度より大きく設定する。このようなインクミスト回収モードを設けることにより、より効率の良いインクミスト回収操作を行うことができる。以上説明した実施形態によれば、吸引ファン等を使用しない簡単な構成で、記録装置内に浮遊するインクミストを回収することができ、インクミストによる不具合を防止できるインクジェット記録装置が提供される。
【００２９】
［第２の実施形態］
図６は第２の実施形態に係るインクミスト回収手段を示す縦断面図である。本実施形態は第１の実施形態の一部を変更したものである。本実施例では、ミスト回収ダクト５５の排気口５５ｂが拍車ステイ５７の上に配置されており、拍車ステイ５７の上面に排気口５５ｂから排出されるインクミストを吸収するためのインク吸収体５９が配されている。このため、拍車ステイ５７および拍車ホルダ５６には、第１の実施形態におけるような排気口５５ｂを下方へ向けるための開口部は設けられていない。インク吸収体５９は、例えば紙、多孔質材、不織布などのインク吸収性を有する部材で形成されている。また、本実施形態のインク吸収体５９は、シート状もしくは板状の部材で形成し、拍車ステイ５７に接合する構成にすることができる。このように、本実施形態では、ミスト回収ダクト５５を通して導いたインクミストを、プラテン１７に支持されたシートＰよりも記録ヘッド１１側に配したインク吸収体５９に集積して回収するように構成されている。
【００３０】
本実施形態は、上記以外の構成は、第１の実施形態と同じである。かかる構成によれば、搬送されるシートＰに記録ヘッド１１からインクを吐出して記録している最中であっても、排気口５５ｂから排出されるインクミストがシートＰ上に吹き付けられることはない。従って、プラテン１７および排紙部５０の範囲にシートＰが存在する場合でも、シートＰが存在しない場合と同様、記録画像に対するインクミストの影響を無くすことができる。さらに、拍車５３の両側に設けられるフィン部５４の羽根の方向を各側面で互いに逆方向にして両側面からインクミストを吸引することにより、効率的にインクミストを回収することができる。
【００３１】
図７は以上の各実施形態に係る記録装置の動作を示すフローチャートである。図７において、記録装置の電源を投入する（ステップＳ１）と、まず、検知手段によりキャリッジがホームポジションにあることを確認するなどの初期動作が行われる（ステップＳ２）。次いで、操作・表示部からの入力等によりオンライン状態する（ステップＳ３）。オンライン状態になると、コンピュータ等からの記録データをインターフェース部を介して入力可能な入力待ち状態となる。そして、記録データの入力がある（ステップＳ４）と、給紙ローラ２７の回転によりシートＰを給送し、さらに搬送ローラ１８を回転させてシートＰをプラテン１７上の画像形成部８０へ搬送する（ステップＳ５）。
【００３２】
シートＰがプラテン１７上の記録開始位置に到達したことを確認する（ステップＳ６）と、搬送を停止するとともに、記録ヘッド１１を搭載したキャリッジ１２を搬送方向に交差する方向に駆動し（ステップＳ７）、キャリッジ１２の移動に同期して記録ヘッド１１からシートＰへインクを吐出して画像を形成する（ステップＳ８）。１ライン分の記録が終了するとキャリッジ１２の駆動を停止する（ステップＳ９）。そして、ステップＳ４へ戻って一旦記録データ待ちの状態に入り、次の記録データがあればステップＳ４〜ステップＳ９の動作を繰り返す。こうして、１ライン分の記録とシートＰの所定ピッチの搬送を交互に繰り返すことにより、シートＰの全体に画像を形成する。この記録動作では、搬送用回転体である拍車５３は紙送りのための所定速度で回転する。従って、フィン部５４が同じ速度で回転することで、記録装置内に浮遊するインクミストをミスト回収ダクト５５の吸気口５５ａから吸引し、ダクト５５を通して所定位置へ導いたところで排気口５５ｂから排出することができる。
【００３３】
シートＰの記録が終了し、全ての記録データの入力が終了すると、キャリッジ１２をホームポジションへ移動させて停止させる（ステップＳ１０）。そして、記録されたシートＰは、搬送ローラ１８および排紙ローラ２１の回転により装置本体外へ排出される（ステップＳ１１）。シートＰが排出された後、インクミスト回収モードを実行することで回収動作のＯＮ／ＯＦＦ制御を行う（ステップＳ１２）。インクミスト回収モードのＯＮ／ＯＦＦ、並びにフィン部５４の回転速度および動作時間は、例えばステップＳ４〜ステップＳ９の記録動作もしくは記録動作の１ジョブにおけるインクミストの発生量に応じて制御される。具体的には、例えば、制御手段７０のＣＰＵによって、所定期間（例えば記録動作中）にシートＰに対してインク吐出を行った総ドット数もしくは記録枚数などに基づいてインクミスト発生量を算定し、その結果に基づいてインクミスト回収モードを制御する。
【００３４】
インクミスト回収モードでＯＮ制御されるときは、排紙ローラ対２１、５３を回転させ、記録ヘッド１１側の搬送用回転体である拍車５３のフィン部５４の回転によってミスト回収ダクト５５内に気流を発生させる。これにより、吸気口５５ａから吸引したインクミストをダクト５５を通して所定位置まで導き、排気口５５ｂから排出する動作、つまりインクミストの回収動作が行われる（ステップＳ１３）。この回収動作の動作時間やフィン５４の回転速度は、前述の記録動作等によるインクミスト発生量の算定結果に基づいて制御される。所定時間の回収動作が行われた（ステップＳ１４）ところで、一連のインクミスト回収モードを終了する。そして、次の記録動作の記録データ待ち状態となり、記録データがあるとステップＳ４〜ステップＳ１４の記録動作が繰り返される。
【００３５】
このインクミスト回収モードでは、搬送されるシートＰが存在しないため、排紙ローラ対２１、５３の回転速度をシートＰを搬送するときの回転速度よりも高い速度に設定することで、インクミストの効率を高めることができる。その際、インクミスト発生量が多いほど、回転速度を高くしてミスト回収ダクト５５内の気流速度を増大させることにより、短時間で効率的にインクミストを回収することが可能となる。
【００３６】
なお、以上の実施形態では、排紙ローラ対の拍車５３を利用してフィン部５４およびミスト回収ダクト５５を設ける構成としたが、記録ヘッド１１側の搬送用回転体であれば、他の回転体を利用しても良い。例えば、搬送ローラ対の記録ヘッド側の回転体であるピンチローラ１９の側面にフィン部５４を設けるとともに、ピンチローラ１９を覆うようにしてミスト回収ダクト５５を配する構成により、拍車５３を利用する場合と同様の作用効果が得られる。さらに、駆動ローラである搬送ローラ１８や排紙ローラ２１が記録ヘッド１１側に配される場合は、これらの回転体を利用してフィン部５４およびミスト回収ダクト５５を設ける構成にしても良く、これによっても同様の作用効果が得られる。つまり、本実施形態に係るインクミスト回収手段８５は、シートＰより記録ヘッド１１側に配される回転体であれば、種々の回転体を利用して構成することができる。
【００３７】
さらに、拍車５３等の搬送用回転体に設けるフィン部５４も、種々の態様で設けることができる。例えば、回転体の片方の側面にフィン部５４を設ける構成でも良く、回転体の両側の側面にフィン部５４を設ける構成でも良い。また、フィン部５４を構成する羽根の向き、あるいは数や配置等も種々の態様で実施することができる。例えば、回転体の両面に同方向の羽根からなるフィン部５４を設けることにより、吸引力を高めてインクミストの回収効率を高めることができる。また、フィン部５４の正回転のみならず逆回転においても矢印６２方向の気流を発生することで、より効果的なインクミスト回収を行うことが可能になる。また、回転体の片方もしくは両方の側面に設けたフィン部５４の羽根の向きを逆回転においてのみ矢印６２の気流を発生する構成にしても良い。
【００３８】
また、ミスト回収ダクト５５についても、拍車５３にフィン部５４を設ける場合は拍車ホルダ５６と一体に形成しても良く、また、ピンチローラ１９にフィン部５４を設ける場合はピンチローラホルダ３５と一体に形成しても良い。また、第１の実施形態では、ミスト回収ダクト５５の排気口５５ｂの直下にプラテン１７の凹部３３ｂを配したが、これは、プラテン１７に組み込まれているインク吸収体３４の一部を排気口５５ｂの直下まで延在させる構成しても良い。かかる構成によれば、より多くのインクミストを回収することが可能となる。
【００３９】
なお、以上説明した実施形態では、記録ヘッドを搭載して往復移動するキャリッジを用いるシリアルタイプの記録装置を例に挙げた。本発明は、記録媒体の搬送方向の副走査のみで記録するラインタイプなど、他の走査方式の記録装置にも同様に適用可能である。また、記録媒体の材質は、紙、プラスチックシート、印画紙、布など、画像形成が可能であれば、種々の材質のものを使用できる。
【符号の説明】
【００４０】
１１    記録ヘッド
１７    プラテン
３４    インク吸収体
５３    拍車（搬送用回転体）
５４    フィン部
５５    ミスト回収ダクト
５５ａ  吸気口
５５ｂ  排気口
７０    制御手段
８５    インクミスト回収手段
【図１】
2010240877.tif 000003
【図２】
2010240877.tif 000004
【図３】
2010240877.tif 000005
【図４】
2010240877.tif 000006
【図５】
2010240877.tif 000007
【図６】
2010240877.tif 000008
【図７】
2010240877.tif 000009